(57)【要約】      （修正有）【課題】介護用浴槽の操作を手動にし、外形寸法が小さく軽量で、必要湯量を低減した断熱性に優れ、洗い場と浴槽を一体化し浴室面積を小さくできる介護浴槽を提供することにある。【解決手段】入浴用車椅子ごと浴槽に入れる介護用浴槽の床、及び壁を発泡合成樹脂で構成し、平面的に見て長辺方向に対し横に２分割し、さらに、その片方を縦に２分割する。縦に分割しないパーツを浴槽母体とし、縦に２分割した２個のパーツを可動浴槽とする。可動浴槽は浴槽母体とアームで連結し蝶番を起点に円運動する。まず、浴槽母体に介護用車椅子を挿入し、軸足を１本にした入浴用車椅子の軸足を左右の可動浴槽で挟み込みながら密閉し浴槽を完成させる介護浴槽。【選択図】図１
2014184105.tif 000002
【特許請求の範囲】
【請求項１】
入浴用車椅子ごと浴槽に入れる介護用浴槽の床、及び壁を発泡合成樹脂で構成し、平面的に見て長辺方向に対し横に２分割し、さらに、その片方を縦に２分割する。縦に分割しないパーツを浴槽母体とし、縦に２分割した２個のパーツを可動浴槽とする。可動浴槽は浴槽母体とアームで連結し蝶番を起点に円運動する。まず、浴槽母体に介護用車椅子を挿入し、軸足を１本にした入浴用車椅子の軸足を左右の可動浴槽で挟み込みながら密閉し浴槽を完成させる事を特徴とする介護浴槽。
【発明の詳細な説明】
【技術分野】
【０００１】本発明は介護用浴槽に関するものである。
【背景技術】
【０００２】  介護の現場では、独力で入浴出来ない要介護者の入浴介護における介護職員の身体的負担は大きい重労働と言っていい、その入浴介護で、入浴用車椅子に乗せた要介護者を洗って流した後、水平移動し入浴用車椅子ごと浴槽に入れる介護用浴槽において、現状では、操作が電動で複雑な構造をしており、操作に電力を必要とし故障が多い。外形寸法が大きく本体重量が重い為、設置時及び設置後の移設は困難を極める。浴槽内容積が大きく入浴に必要な湯量が多い。また、洗い場と浴槽設置場所が別個な為、無駄な浴室面積を必要とし浴室を温める暖房費が大きい。
【先行技術文献】
【特許文献】
【０００３】
【特許文献１】特許公開２００３−１４４５１４
【特許文献２】特許公開２００１−１８７１００
【特許文献３】特許公開２００１−０９５８８１
【特許文献４】特許公開平１１−０４７２１５
【登録実用新案】
第３１２２２６０号
【発明の概要】
【発明が解決しようとする課題】
【０００４】これは、次のような欠点があった。
（イ）介護浴槽の操作が電動で複雑な構造の為、操作に電力が必要になり、故障の原因になる。
（ロ）外形寸法が大きく、本体重量も重い為、設置時及び設置後の移設が困難を極める。
（ハ）浴槽内容積が大きく入浴に必要な湯量が多い。
（ニ）洗い場と浴槽設置場所が別個な為、広い浴室を必要とし浴室を温める暖房エネルギーを大きく必要とする。また、無駄な床面積が建築コストを増大させる。
本発明はこのような点に鑑みて成されたものであり、その目的は、入浴介護において、入浴用車椅子に乗せた要介護者を洗って流した後、水平移動し入浴用車椅子ごと浴槽に入れる介護用浴槽の操作を手動にし、外形寸法が小さく軽量で、必要湯量を低減した断熱性に優れ、洗い場と浴槽設置場所を一体化し浴室面積を小さくできる介護浴槽を提供することにある。
【問題を解決する為の手段】
【０００５】  入浴用車椅子ごと浴槽に入れる介護用浴槽の床、及び壁を発泡合成樹脂で構成し、平面的に見て長辺方向に対し横に２分割し、さらに、その片方を縦に２分割する。縦に分割しないパーツを浴槽母体とし、縦に２分割した２個のパーツを可動浴槽とする。可動浴槽は浴槽母体とアームで連結し蝶番を起点に円運動する。まず、浴槽母体に介護用車椅子を挿入し、軸足を１本にした入浴用車椅子の軸足を左右の可動浴槽で挟み込みながら密閉し浴槽を完成させる事を特徴とする介護浴槽。
【発明の効果】
【０００６】  可動浴槽は浴槽母体とアームで連結し、アームの蝶番を起点に円運動する。まず、可動浴槽を開放し、洗い場で洗って流した要介護者を乗せた入浴用車椅子を浴槽母体に差し込み、左右の可動浴槽で入浴用車椅子の軸足を挟み込むように閉鎖密閉し浴槽を完成させる。洗い場は可動浴槽の回転半径内にあり、洗い場と介護浴槽設置場所が一体になる為、浴室面積を小さく出来るので浴室を温める無駄なエネルギーを削減する。開閉する可動浴槽の重量は軽く底部にキャスター付きなので操作は全て手動で可能であり、操作に電力を必要とせず、長期的にみて故障も少ない。挟み込み式の為、入浴用車椅子と浴槽の隙間を最小限に設計可能であり、必要湯量を低減する。介護浴槽の床壁が全て発泡合成樹脂で形成されているので断熱性に優れる。
【発明を実施する為の最良の形態】
【０００７】  以下本発明の実施の形態を図面に基づき詳細に説明する。
【０００８】  図１は入浴用車椅子を浴槽母体に後ろ向きに取り込んだ後、左右の可動浴槽にて、入浴用車椅子を挟み込みながら閉鎖密閉し浴槽を完成させた外観斜視図。縦に２分割した左右の可動浴槽は浴槽母体とアームで連結し蝶番を起点に開閉し、操作取手に設置した密閉レバーで密閉する。本体重量は軽く、底部にキャスターが付いている為、浴槽の開閉は手動で簡単に操作できる。
【０００９】  図２は可動浴槽開放時の外観斜視図。洗い場は可動浴槽の回転半径内であり、洗い場と浴槽本体の設置場所が一体になる。浴槽の接合面はクッション性を持たせ密着性を高める。また、床壁を空気袋で構成してもよい。
【００１０】  図３は縦に２分割した可動浴槽の可動域を表現した平面図。浴槽完成時、連続使用時、浴槽収納時の可動浴槽の位置を示す。可動浴槽は浴槽母体とアームで連結し蝶番を起点に円運動する。アームは中間で折れる構造とし浴槽をコンパクトに納める。
【００１１】  図４は入浴中の縦断面図。挟み込み式の為、浴槽と入浴用車椅子の隙間は最小限に設計可能であり浴槽内容積を小さくし必要湯量を低減できる。入用用車椅子の軸足は１本足とし、浴槽本体は入浴用車椅子底部キャスターを受け入れる為、浴室床から持ちあげておく。
【００１２】  浴槽の水位調節は水位調整管にて行う。水位調整管の受口は浴槽床面に設置し、浴槽床を挟み込まれながら貫通し、浴槽外部で水位調整管の排出口の高さを上下する事により水位を調整する、要介護者の肩口に排出口の高さを合わせれば要介護者が水に溺れることは無い。また、水位調整管の排出口を浴槽の床より下に下げれば浴槽水は順次排出可能である。浴槽を開放すれば全ての浴槽水は瞬時に排出される。排水管は挟み込む式の為、経年劣化に合わせて取り換え自由である。
【００１３】  介護用車椅子は左右の浴槽で挟み込む関係上、軸足は一本足を原則とする。これにより。浴槽と車椅子の向きが多少ぶれても挟み込みに支障はない。
【図面の簡単な説明】
【００１４】
【図１】  本発明の浴槽閉鎖時（使用中）の外観斜視図である。
【図２】  本発明の浴槽開放時（未使用）の外観斜視図である。
【図３】  本発明の平面図である。
【図４】  本発明の浴槽使用時の縦断面図である。
【符号の説明】
【００１５】  １  水位調整管
２  操作取手
３  密閉レバー
４  可動アーム
５  キャスター
６  入浴用車椅子
７  構造フレーム
【図１】
2014184105.tif 000003
【図２】
2014184105.tif 000004
【図３】
2014184105.tif 000005
【図４】
2014184105.tif 000006